(57)【要約】      （修正有）【課題】引き出しや棚の上など既存のタオル収納保管スペースに設置し、タオルを任意の位置から取り出すことができるタオル収納ラックを提供する。【解決手段】据え置きのための基盤部１と、基盤部から上方に等間隔で配置した複数枚の仕切板２によって形成する。【選択図】図１
2014200563.tif 000002
【特許請求の範囲】
【請求項１】
据え置きのための基盤部と、基盤部から上方に等間隔で配置した複数枚の仕切板で形成されることを特徴とするタオル収納ラック。
【請求項２】
仕切板相互間に、折りたたんだタオルを一枚ずつ収納する空間を有することを特徴とする請求項１記載のタオル収納ラック。
【発明の詳細な説明】
【技術分野】
【０００１】
本発明は、一般的に数多く使用されているフェイスタオルなどのタオル類を収納保管する際に使用するもので、見栄えよく整然と整理し、タオルを取り出しやすくするためのラックに関するものである。
【背景技術】
【０００２】
一般的に数多く使用されているフェイスタオルは、大きさが縦３０ｃｍ程度、横８０ｃｍ程度で、引き出しや棚の規模に合わせて折りたたみ、収納保管されているのが一般的である。
【０００３】
フェイスタオル等を引き出しや棚に収納保管する場合、折りたたんだ状態で重ねて収納する方法が一般的であり、タオル使用時には、収納保管状態を維持するために最上部のものから使用することとなり、保管数と使用数によっては、上部のものは使用頻度が高くなる反面、下部のものは殆ど使用されないまま、衛生状況も悪化する状況になっている。
【０００４】
下部のタオルを取り出そうとする場合、タオル相互の摩擦により積み重ねた状態が維持されずに崩れるなどの問題があり、必然的に上部のものから使用せざるを得ない状況となっている。
【０００５】
特許文献１においては、積み重ねて収納したタオルを下部から順次取り出す方策として開示されているが、タオル取出し口を下部に設けた専用のキャビネットによるものであり、既存の引き出しや棚に配置して収納保管する本発明とは異なるものである。
【０００６】
特許文献２においても特許文献１同様、重ねて収納したタオルを下部から順次取り出す方策として開示されているが、下部に開口部を設けた専用の収納ボックスによるものであり、既存の引き出しや棚に配置して収納保管する本発明とは異なるものである。
【０００７】
特許文献３においては、専用の引き出し内に施されたタオル掛けバーにタオルを掛けて保持し保管するもので、バーを移動させることで順次取り出すことができるものとして開示されているが、専用の引き出しによるものであり、既存の引き出しや棚に配置して収納保管する本発明とは異なるものである。
【先行技術文献】
【特許文献】
【０００８】
【特許文献１】特開２００３−２１０２６６号公報
【特許文献２】特開２００４−２４９０４８号公報
【特許文献３】特開平１１−７６０９６号公報
【発明の概要】
【発明が解決しようとする課題】
【０００９】
一般的に家庭などに於いて数多く使用されているフェイスタオルを保管する場合、既存家具の引き出しや棚などの収納保管場所に合わせた大きさにを折りたたみ、重ねて保管する方法が殆どであるが、使用する際には上部から取り出すこととなるため、上部のタオルは頻繁に使用される反面、下部のタオルは使用頻度が低くなり衛生上の問題もあった。
また、下部のものから使用するための方策として開示されているものは、専用のキャビネットや引き出しが必要となり、設置するための新たなスペースが必要になるという問題があった。
【課題を解決するための手段】
【００１０】
本発明は、従来の問題を解決するため、引き出し内あるいは棚など既存のスペース内に設置することが可能で、収納保管しているタオルを任意の位置から取り出すことができる収納ラックを提供する。
【００１１】
据え置きのための基盤部と、基盤部から上方に等間隔で配置した複数枚の仕切板で形成されることを特徴とする。
【００１２】
仕切板相互間に、折りたたんだタオルを一枚ずつ縦に収納保管する空間を有することを特徴とする。
【００１３】
基盤部および仕切板は、タオル保管状態における重量や圧力に耐えうる強度を有する硬質材料であることを特徴とする。
【００１４】
仕切板表面は、容易にタオルの収納および取り出しが出来るよう平滑であることを特徴とする。
【発明の効果】
【００１５】
本発明は、据え置きのための基盤部と、基盤部から上方に等間隔で配置した複数枚の仕切板で形成され、折りたたんだタオルを仕切板間に縦置きで収納保管することで、任意の位置からタオルを取り出すことが可能となる。
【００１６】
タオル保管状態における重量や圧力に耐えうる強度を有する硬質樹脂や金属、木材などの材料により形成することで、タオルを安定的に収納保管するすることが可能となる。
【００１７】
本発明では、フェイスタオルの長手方向を２回折り、横方向に１回折りたたんだ形状のものの保管を基本としており、既存の収納保管スペースを大幅に逸脱することなく設置することが可能である。
【図面の簡単な説明】
【００１８】
【図１】タオル収納ラックの実施例を示す斜視図である
【図２】タオル収納ラックの正面図である
【図３】タオル収納ラックの側面図である
【図４】タオル収納ラックの平面図である
【図５】タオル収納ラックにタオルを収納した一実施例の斜視図である
【図６】基盤部と仕切板が一体材料で形成された実施例を示す斜視図である
【発明を実施するための形態】
【００１９】
据え置きのための基盤部１と、基盤部１から上方に等間隔で配置された複数枚の仕切板２によって形成されるもので、一般家庭で最も多く使用されているフェイスタオル４を、タオル収納部３にそれぞれ一枚ずつ収納することで取り出しが容易になり、使用頻度が偏ることなく衛生的に保管することが可能となる。
【００２０】
仕切り板２で区切られた空間であるタオル収納部３に、折りたたんだタオルを縦に収納するもので、他のタオルの保管状態を乱すことなく、任意の位置から取り出すことが可能となる。
【００２１】
据え置きのための基盤部１は、フェイスタオル４の長手方向を２回折った面積と同程度となり、新たな保管場所を確保することなく、既存のタオル保管場所に据え置くことが可能である。
【００２２】
基盤部１から上方に等間隔で配置される仕切り板２は、タオルを長手方向に２回、横方向に１回折った面積と同程度とすることで、長手方向に２回折りしたタオルを１０枚重ねた高さと同程度となり、新たな空間を確保することなく、既存のタオル保管場所に据え置くことが可能である。
【実施例】
【００２３】
一般的なフェイスタオルは、概ね幅30cm〜35cm、長さ80cm〜90cmであり、長手方向を２回、更に横方向に１回折ると、概ね縦15cm、幅20cm、暑さ2cm〜３ｃｍとなり、タオル収納部３は折り畳んだタオルが収納出来る幅、高さ、奥行きとすることで見栄えよく収納保管することが可能となる。
【００２４】
タオル収納ラックは、基盤部１と仕切板２で形成されるが、基盤部１に仕切板２を差し込む方式等で組み立て式とすることができるほか、図６に実施例を示すとおり、基盤部１と仕切板２が一体となった形状のものも形成が可能である。
【００２５】
タオルの圧力や重量に耐えうる強度有する材質のものであれば、金属、硬質樹脂、木材等あらゆるもので形成可能である。
【００２６】
仕切板２の表面を平滑にすることで、タオルの収納や取り出しが容易に出来るようになる。
【産業上の利用可能性】
【００２７】
基盤部１と仕切板２の組み合わせにより形成されているが、組み立て式とした場合、仕切板２の設置枚数によりタオル収納枚数の増減が可能である。
【００２８】
タオルの圧力や重量に耐えうる強度を有するものであればあらゆる材質のもので形成可能であり、着色などにより設置場所の環境に調和させることが可能である。
【００２９】
木材を使用した場合の木目や着色、また仕切板を垂直方向ではなく斜め方向に配置するなどのデザインとすることで、インテリアとしても配置できる。
【符号の説明】
【００３０】
１  基盤部
２  仕切板
３  タオル収納保管部
４  フェイスタオル
【図１】
2014200563.tif 000003
【図２】
2014200563.tif 000004
【図３】
2014200563.tif 000005
【図４】
2014200563.tif 000006
【図５】
2014200563.tif 000007
【図６】
2014200563.tif 000008